(57)【要約】      （修正有）【課題】着用することで、脚部に適度な締付け力を作用して、脚部の筋肉、腱、支帯の動きを保護し、怪我や疲労を防ぐ。【解決手段】足首の近傍に足首リング帯７、足の甲をリング状に覆う足リング帯６と、少なくとも1本以上の足指から足首リング帯７と足リング帯６の間を伸びる縦帯を伸縮性を有する糸又は、その他の伸縮部材により形成し、地編部分に一体に編み込む。また、靴下の足裏側外部の少なくとも1本以上の足指根本付近に摩擦係数の大きい樹脂を付着させ、または、足裏全体に厚手の生地を用いることにより、靴中での靴下と靴との滑りを防止し、蹴り出す力を効率的に地面に伝達するとともに疲労を防ぐ。【選択図】図１
0003119498.tif 000002
【実用新案登録請求の範囲】
【請求項１】
伸縮部材により、運動を補助することにより、つまずきを防止することが可能になる靴下において、足首の近傍に足首リング帯７、足の甲をリング状に覆う足リング帯６と、少なくとも1本以上の足指から足首リング帯７と足リング帯６の間を伸びる縦帯５a〜５eを伸縮性を有する糸又は、その他の伸縮部材により形成し、地編部分に一体に編み込まれたことを特徴とする靴下。
【請求項２】
請求項1において、靴下の足裏側外部の少なくとも1本以上の足指根本部８または９に摩擦係数の大きい樹脂を付着させ、または、足裏全体部１１に厚手の生地を用いることにより靴中での靴下と靴との滑りを防止した靴下。
【請求項３】
請求項1において、足指が2から5本に分かれた構造を持つ前記記載の靴下。
【請求項４】
請求項1において、伸縮部材を、伸縮性を有する糸またはゴム弾性のある素材、または伸縮可能な編み方で構成されることが特徴である靴下。
【請求項５】
請求項1において、伸縮部材の引っ張り強度は5〜500gになるように設定する。
【考案の詳細な説明】
【技術分野】
【０００１】
本考案は靴下を着用することにより着用者の下肢の筋肉、腱、支帯の動きを補助し、着用時につまずきを防止する機能を有する靴下に関する。
【背景技術】
【０００２】
一般に、機械編みされる靴下は、上端部に靴下止めとして機能する伸縮性を有する糸で編成したリング状部分と筒状部分とから構成されているが、この種の靴下は、足全体の保護に主眼が置かれ、着用者の筋肉、腱あるいは支帯を積極的に保護し、歩行を補助する機能を有していない。
【考案の開示】
【考案が解決しようとする課題】
【０００３】
従来の靴下は、足全体の保護に主眼が置かれているため、着用者の筋肉、腱あるいは支帯を積極的に保護、サポートする機能は有しておらず、これらの機能を得るためには、靴下とは別に、各種サポータを着用しなければならないという問題がある。
【０００４】
また、怪我等や加齢とともに筋力が弱って俊敏な動きがとりにくくなっている際に、足指先が下がり気味になり、地面に引っかかりやすくなって、つまずき、怪我をするといったことがある。
【０００５】
本考案は上記事情に着目してなされたものであり、その目的は、装着することにより、伸縮素材の伸縮により適度に筋力を補助し、足指先を持ち上げ、歩行の際、つまずきを防止することを可能にする靴下を提供することにある。
【０００６】
本考案は、かかる現況に鑑みなされたもので、怪我等や加齢とともに筋力が弱って俊敏な動きがとりにくくなっている際等に着用することにより、足の筋力を補助し、足指先を持ち上げ、歩行時等につまずきを防止することができる靴下を提供することを目的とする。
【課題を解決するための手段】
【０００７】
本考案の靴下は、足首の近傍に足首リング帯７、足の甲をリング状に覆う足リング帯６と、少なくとも足指の1本以上の足指から足首リング帯７と足リング帯６の間を伸びる縦帯５，５a〜５eを、伸縮性を有する糸又は、その他の伸縮部材により形成し、地編部分に一体に編み込むことで、アキレス腱、後脛骨筋腱と長指屈筋腱とが交叉する箇所、後脛骨筋、長腓骨筋、短腓骨筋、長母指伸筋の腱、短母指伸筋、長母指外転筋、上伸筋支帯、下伸筋支帯、短指伸筋、長指伸筋の腱、ヒラメ筋、長母指伸筋、および前脛骨筋の腱をサポート、強化する。また、より効果を上げるために、1本以上の足指をリング状に覆う足指リング帯３，3a〜3e、爪先リング帯４，４a〜４eを形成しても良い。
【０００８】
また、靴下の足裏側外部の少なくとも1本以上の足指根元付近９、および踵部１０に摩擦係数の大きい樹脂を付着させ、さらに、足裏全体部１１に厚手の生地を使用することにより、靴中での靴下と靴との滑りを防止し、歩行時の力を効率的に地面に伝達する。
【考案の効果】
【０００９】
以上説明したように、本考案は、伸縮性により脚部および足部の筋力が補助され、怪我等や加齢とともに筋力が弱って、俊敏な動きがとりにくくなっている際等に着用することにより、足の筋力を補助し、疲労が防止されるとともに、足指先を持ち上げ、歩行時等につまずきを防止することができる。
【考案を実施するための最良の形態】
【００１０】
以下、本考案の実施の形態を、図面を参照して説明する。
【００１１】
図１は、本考案の第１の実施の形態に係る靴下を示すもので、この靴下１は、通常の糸により編成される編成生地２にスパンデックスやゴムを芯とした糸等の伸縮性に富んだ糸で、足指リング帯３，3a〜3e、爪先リング帯４，４a〜４e、縦帯５， ５a〜５e足リング帯６、足首リング帯７、上端リング帯８、を一体に編込んで構成され、各帯の伸縮性により各種筋肉、腱あるいは支帯を保護する。
【００１２】
編成生地２は、例えば、２本の４０番手の糸を撚り合わせた糸を３本撚り合わせて形成される糸を用いた平編み組織であり、各帯は、たとえば、２０デニールのスパンデックスフイラメントを７０本揃えたものを２本合わせたものやゴム糸を芯とした９０番手の糸を用いた１：１のリブ編み組織である。このような編み地は、たとえば、４フィールドのシングルシリンダ編み機の交互モーションで編成することができる。
【００１３】
上端リング帯８は、膝下位置からふくらはぎの下端近傍に位置しリング状に覆い、その幅は縦目で１８〜３８目程度である。足首リング帯７は、くるぶしの一部を含む足首の近傍位置をリング状に覆い、その幅は、縦目で１８〜３８目程度である。足リング帯８は、足首前面から土踏まずとの間をリング状に覆い、その幅は縦目で１８〜３８目程度である。
【００１４】
しかして、靴下１を着用者の足に着用した場合に、上端リング帯８が膝下位置からふくらはぎの下端近傍に位置して靴下の落ちるのを防ぐ機能をし、足首リング帯７が着用者の上伸筋支帯に対応して位置し、足リング帯６が着用者の下伸筋支帯から長指伸筋の腱までの範囲に位置し、縦帯５は、着用者の爪先から上伸筋支帯まで伸びている。
【００１５】
前記編成生地２は、図１に示すように、上端リング帯８から足首リング帯７までの間に配された脚部２ａと、足首リング帯７と足リング帯６との間に配された踵部２ｂと、爪先部分を覆う爪先部２ｃとから構成されている。
【００１６】
次に、本実施の態様の作用について説明する。
【００１７】
図１に示す靴下１を着用すると、各帯３，４，５，６，７，が有する伸縮性により脚部および足部の筋力が補助され、足の怪我や疲労が防止されるとともに、足指先部が持ち上げられ、つまずきを防止することが可能になる。
【００１８】
具体的には、図１-ａ〜ｂに符号Ａで示す長母指伸筋の腱は、縦帯５により、足指リング帯３および爪先リング帯４から足首リング帯７にかけてサポート、強化される。さらに、符号Bで示す長指伸筋の腱は、足リング帯６によって保護、サポートされる。
【００１９】
しかして、怪我等や加齢とともに筋力が弱って俊敏な動きがとりにくくなっている際等に着用することにより、足の筋力を補助し、疲労が防止されるとともに、足指先を持ち上げ、歩行時等につまずきを防止することができる。足指先を持ち上げ、歩行時等につまずきを防止することができる
【００２０】
図２-ａ〜ｂは、本考案の第２の実施の態様を示すもので、前記第１の実施の態様における靴下１の構成から５本指の形態をとり、さらに縦帯5a〜5eを各指部3a〜3e、爪先リング帯４，４a〜４eから足リング帯６を通って足首リング帯７前面まで一体に編み込んで構成されたものである。
【００２１】
なお、前記両実施の態様においては、上端リング帯８の有無は関係なく、足首の近傍に足首リング帯７、足の甲をリング状に覆う足リング帯６と、少なくとも足指の1本以上の足指をリング状に覆う足指リング帯３，3a〜3e、爪先リング帯４，４a〜４eから足首リング帯７と足リング帯６の間を伸びる縦帯５，５a〜５eの伸縮性を有する糸又は、その他の伸縮部材により形成していればよく、パンティストッキング構造のものであってもよい。
【００２２】
さらに、図１-ｃおよび図２-ｃ靴下の足裏側外部の少なくとも1本以上の足指根元付近９、および踵部１０に摩擦係数の大きい樹脂を付着させ、または、足裏全体部１１に厚手の生地を用いることにより、靴中での靴下と靴との滑りを防止し、歩行時の力を効率的に地面に伝達する。
【実施例】
【００２３】
本考案によれば、ゴム等による伸縮位置は親指を含む1本以上の指先から、足首方向に向けて引っ張るように位置し、足裏および甲にかけて、伸縮可能にしている。
また、その際指は2〜5本に分かれている方が指にかかるゴム等の伸縮力が集中されより効果が得られやすくなっている。
上記よりいずれも装着前と比較し、足指先が4〜15mm高くなり、履き心地がよく、歩行の際にもつまずくことが少なくなった。特に違和感なく装着でき、効果的な補助具であるといえる。
【産業上の利用可能性】
【００２４】
怪我等や加齢とともに筋力が弱って俊敏な動きがとりにくくなっている際等に着用することにより、足の筋力を補助し、足指先を持ち上げ、歩行時等につまずきを防止することができる。
【図面の簡単な説明】
【００２５】
【図１】本考案の第１の実施の態様に係る靴下を示す構成図である。                      （ａ：全体図、ｂ：足上部、ｃ：足底部）
【図２】本考案の第２の実施の態様に係る靴下を示す構成図である。                      （ａ：全体図、ｂ：足上部、ｃ：足底部）
【符号の説明】
【００２６】
１，  ２１  靴下
２  編成生地
２ａ  脚部
２ｂ  踵部
２ｃ  爪先部
３，３a〜３e  足指リング帯
４,  ４a〜４e  爪先リング帯
５，５a〜5e  縦帯
６  足リング帯
７  足首リング帯
８  上端リング帯
９  足指根元部滑り止  樹脂
１０  踵部滑り止  樹脂
１１  足裏全体部
【図１】
0003119498.tif 000003
【図２】
0003119498.tif 000004